(57)【要約】【課題】  Ｗｅｂブラウザのメニューバーからの操作に基づく画面遷移を禁止するようにした画像処理装置および画像処理システムおよび表示制御プログラムを提供する。【解決手段】  Ｗｅｂブラウザ画面上のメニューバには、表示中のＷｅｂページよりも以前に表示されたＷｅｂページへの遷移を指示する機能を果たす戻るボタン、以前に表示されたＷｅｂページが表示されている場合に、そのＷｅｂページ以降に表示されたＷｅｂページへの遷移を指示する機能を果たす進むボタン等が配される。ここで、設定情報において、メニューバーからの操作に基づく画面遷移を禁止する旨設定されていた場合には、Ｗｅｂブラウザ画面上部のメニューバーは非表示となる。【選択図】  図２
2008186065.tif 000002
【特許請求の範囲】
【請求項１】
情報提供元に格納された画面情報を取得する取得手段と、
前記取得手段により取得された画面情報に基づく画面を描画する描画手段と、
前記描画手段により描画された画面と該画面の遷移を操作する操作部とを含んだ操作画面を表示器に表示処理する表示処理手段と、
前記表示処理手段により表示された前記操作部の操作に基づく画面遷移を禁止状態に制御する禁止制御手段と
を具備する画像処理装置。
【請求項２】
前記禁止制御手段は、
設定情報に基づいて前記表示処理手段による前記操作部の表示を非表示にすることで前記画面遷移を禁止状態に制御する
請求項１記載の画像処理装置。
【請求項３】
前記禁止制御手段は、
前記情報提供元が当該画像処理装置内部に設けられている場合に、
前記表示処理手段による前記操作部の表示を非表示にすることで前記画面遷移を禁止状態に制御する
請求項１記載の画像処理装置。
【請求項４】
前記表示処理手段は、
前記禁止制御手段により前記画面の遷移が禁止状態に制御された場合、前記取得手段により前記画面情報を取得する間に表示される進捗表示を非表示にする
請求項２または３に記載の画像処理装置。
【請求項５】
前記禁止制御手段は、
設定情報に基づいて前記表示処理手段により表示される前記操作部からの操作を無効にすることで前記画面遷移を禁止状態に制御する
請求項１記載の画像処理装置。
【請求項６】
前記禁止制御手段は、
前記情報提供元から送信された特定の命令に対応して前記表示処理手段により表示された画面の表示履歴を削除する削除処理手段
を具備し、
前記削除処理手段により画面の表示履歴を削除することで前記画面遷移を禁止状態に制御する
請求項１記載の画像処理装置。
【請求項７】
前記禁止制御手段は、
前記情報提供元が当該画像処理装置内部に設けられている場合に、前記表示処理手段により表示された画面の表示履歴を削除する削除処理手段
を具備し、
前記削除処理手段により画面の表示履歴を削除することで前記画面遷移を禁止状態に制御する
請求項１記載の画像処理装置。
【請求項８】
前記削除処理手段は、
所定の条件に合致する表示履歴を選択的に削除する
請求項６または７に記載の画像処理装置。
【請求項９】
前記削除処理手段は、
全ての表示履歴を削除する
請求項６または７に記載の画像処理装置。
【請求項１０】
前記操作部は、
前記表示処理手段により表示中の画面より以前に表示された画面への遷移を指示する第１の指示手段、
前記第１の指示手段による指示に基づき以前に表示された画面が表示されている場合に、該画面以降に表示された画面への遷移を指示する第２の指示手段、
前記情報提供元の画面の格納場所を指定することによる画面遷移を指示する第３の指示手段
の内の少なくとも１つを含む請求項１記載の画像処理装置。
【請求項１１】
前記情報提供元は、
装置外部に設けられる請求項１記載の画像処理装置。
【請求項１２】
前記情報提供元は、
装置内部に設けられる請求項１記載の画像処理装置。
【請求項１３】
画面情報を格納し所定の要求に応じて該画面情報を提供する情報提供装置と、
情報提供装置からの画面情報に基づく表示を行う画像処理装置と
を具備し、
前記画像処理装置は、
前記情報提供装置に格納された画面情報を取得する取得手段と、
前記取得手段により取得された画面情報に基づく画面を描画する描画手段と、
前記描画手段により描画された画面と該画面の遷移を操作する操作部とを含んだ操作画面を表示器に表示処理する表示処理手段と、
前記表示処理手段により表示された前記操作部の操作に基づく画面遷移を禁止状態に制御する禁止制御手段と
を具備する画像処理システム。
【請求項１４】
前記禁止制御手段は、
設定情報に基づいて前記操作部の操作に基づく画面遷移を禁止状態に制御する
請求項１３記載の画像処理システム。
【請求項１５】
前記情報提供装置は、
特定の命令を送信する送信手段
を更に具備し、
前記禁止制御手段は、
前記送信手段から送信された特定の命令に対応して前記表示処理手段により表示された画面の表示履歴を削除することで前記画面遷移を禁止状態に制御する
請求項１３または１４に記載の画像処理システム。
【請求項１６】
コンピュータを、
情報提供元に格納された画面情報を取得する取得手段、
前記取得手段により取得された画面情報に基づく画面を描画する描画手段、
前記描画手段により描画された画面と該画面の遷移を操作する操作部とを含んだ操作画面を表示器に表示処理する表示処理手段、
前記表示処理手段により表示された前記操作部の操作に基づく画面遷移を禁止状態に制御する禁止制御手段
として機能させるための表示制御プログラム。
【請求項１７】
前記禁止制御手段は、
設定情報に基づいて前記操作部の操作に基づく画面遷移を禁止状態に制御する
請求項１６記載の表示制御プログラム。
【請求項１８】
前記禁止制御手段は、
前記情報提供元から送信された特定の命令に対応して前記表示処理手段により表示された画面の表示履歴を削除することで前記画面遷移を禁止状態に制御する
請求項１６または１７に記載の表示制御プログラム。
【発明の詳細な説明】
【技術分野】
【０００１】
本発明は、画像処理装置および画像処理システムおよび表示制御プログラムに関する。
【背景技術】
【０００２】
複写機、プリンタなどの画像処理装置には、ユーザインターフェース手段として操作パネルが設けられている。操作パネルは、ユーザからの入力操作を受け付けたり、ユーザに各種情報を伝えたりする役割を果たす。
【０００３】
従来、操作パネルに配された表示部の見栄えや使い易さ等を向上させるために種々の技術が提案されており、その技術の一つとして、Ｗｅｂ（World Wide Web）ブラウザを搭載し、Ｗｅｂブラウザの表示機能により各種画面を表示するものが知られている。Ｗｅｂブラウザを用いた各種画面の表示は、外部または内部に設けられたＷｅｂサーバに格納されたＷｅｂコンテンツに基づき行われる（例えば、特許文献１参照）。
【０００４】
ここで、Ｗｅｂブラウザには一般に、
１）表示中のＷｅｂページよりも以前に表示されたＷｅｂページへの遷移を指示する機能
２）以前に表示されたＷｅｂページが表示されている場合に、そのＷｅｂページ以降に表示されたＷｅｂページへの遷移を指示する機能
３）アクセス先のＵＲＬ等のアドレスを表示する機能
４）以前に表示したＵＲＬ等のアドレスを表示履歴として保持し、この表示履歴に基づきＷｅｂページの再表示を指示する機能
５）ネットワークアクセス中であることをアイコン表示等で示す機能
６）アクセス先への通信状態の進捗状況を示す機能
等が操作ボタンや表示領域などとして設けられている。
【０００５】
また、一般的なＷｅｂブラウザは、ＨＴＭＬ（HyperText Markup Language）文書や画像などの他、スクリプト言語（Java（登録商標）Script、VBScript）などを解析して表示する機能を備えている。画像処理装置に配された表示部などの組み込み機器環境に搭載されたＷｅｂブラウザは、スクリプト言語の実行環境等を有していない場合が多い。
【０００６】
このような画像処理装置は一般的に複数のユーザにより使われることが多い。例えば、複数のユーザがそれぞれ装置にユーザ認証することでユーザに与えられた権限の範囲で操作が許容される場合や、個々のユーザが装置を使う上で認証が不要な場合がある。つまり、このような画像処理装置を使って複数のユーザが、外部または内部に設けられたＷｅｂサーバに格納されたコンテンツにアクセスすることがありえることになる。
【０００７】
アクセスするコンテンツによっては、サーバにユーザ認証が設定されている場合があり、例えば、ユーザは画像処理装置からこのようなサーバにアクセスする際に、サーバへの認証処理を行い、サーバ内のコンテンツを表示したり、コンテンツに基づく処理を実行したりすることが可能となる場合がある。
【０００８】
ところで、上記一般的なＷｅｂブラウザの画面遷移機能を用いた場合、画像処理装置のような複数のユーザがそれぞれ認証を受けたサーバ装置にアクセスした状態でその場を離れるようなことがあったとき、その後、他のユーザが画像処理装置を使用し、画面遷移した結果、他のユーザの認証されたサーバへのアクセスが可能になるという可能性がある。
【特許文献１】特開平１１−３２７８６３号
【発明の開示】
【発明が解決しようとする課題】
【０００９】
本発明は、Ｗｅｂブラウザの操作部からの操作に基づく画面遷移を禁止するようにした画像処理装置および画像処理システムおよび表示制御プログラムを提供することを目的とする。
【課題を解決するための手段】
【００１０】
上記目的を達成するため、請求項１の画像処理装置の発明は、情報提供元に格納された画面情報を取得する取得手段と、前記取得手段により取得された画面情報に基づく画面を描画する描画手段と、前記描画手段により描画された画面と該画面の遷移を操作する操作部とを含んだ操作画面を表示器に表示処理する表示処理手段と、前記表示処理手段により表示された前記操作部の操作に基づく画面遷移を禁止状態に制御する禁止制御手段とを具備する。
【００１１】
また、請求項２の発明は、請求項１の発明において、前記禁止制御手段は、設定情報に基づいて前記表示処理手段による前記操作部の表示を非表示にすることで前記画面遷移を禁止状態に制御する。
【００１２】
また、請求項３の発明は、請求項１の発明において、前記禁止制御手段は、前記情報提供元が当該画像処理装置内部に設けられている場合に、前記表示処理手段による前記操作部の表示を非表示にすることで前記画面遷移を禁止状態に制御する。
【００１３】
また、請求項４の発明は、請求項２または３の発明において、前記表示処理手段は、前記禁止制御手段により前記画面の遷移が禁止状態に制御された場合、前記取得手段により前記画面情報を取得する間に表示される進捗表示を非表示にする。
【００１４】
また、請求項５の発明は、請求項１の発明において、前記禁止制御手段は、設定情報に基づいて前記表示処理手段により表示される前記操作部からの操作を無効にすることで前記画面遷移を禁止状態に制御する。
【００１５】
また、請求項６の発明は、請求項１の発明において、前記禁止制御手段は、前記情報提供元から送信された特定の命令に対応して前記表示処理手段により表示された画面の表示履歴を削除する削除処理手段を具備し、前記削除処理手段により画面の表示履歴を削除することで前記画面遷移を禁止状態に制御する。
【００１６】
また、請求項７の発明は、請求項１の発明において、前記禁止制御手段は、前記情報提供元が当該画像処理装置内部に設けられている場合に、前記表示処理手段により表示された画面の表示履歴を削除する削除処理手段を具備し、前記削除処理手段により画面の表示履歴を削除することで前記画面遷移を禁止状態に制御する。
【００１７】
また、請求項８の発明は、請求項６または７の発明において、前記削除処理手段は、所定の条件に合致する表示履歴を選択的に削除する。
【００１８】
また、請求項９の発明は、請求項６または７の発明において、前記削除処理手段は、全ての表示履歴を削除する。
【００１９】
また、請求項１０の発明は、請求項１の発明において、前記操作部は、前記表示処理手段により表示中の画面より以前に表示された画面への遷移を指示する第１の指示手段、前記第１の指示手段による指示に基づき以前に表示された画面が表示されている場合に、該画面以降に表示された画面への遷移を指示する第２の指示手段、前記情報提供元の画面の格納場所を指定することによる画面遷移を指示する第３の指示手段の内の少なくとも１つを含む。
【００２０】
また、請求項１１の発明は、請求項１の発明において、前記情報提供元は、装置外部に設けられる。
【００２１】
また、請求項１２の発明は、請求項１の発明において、前記情報提供元は、装置内部に設けられる。
【００２２】
また、請求項１３の画像処理システムの発明は、画面情報を格納し所定の要求に応じて該画面情報を提供する情報提供装置と、情報提供装置からの画面情報に基づく表示を行う画像処理装置とを具備し、前記画像処理装置は、前記情報提供装置に格納された画面情報を取得する取得手段と、前記取得手段により取得された画面情報に基づく画面を描画する描画手段と、前記描画手段により描画された画面と該画面の遷移を操作する操作部とを含んだ操作画面を表示器に表示処理する表示処理手段と、前記表示処理手段により表示された前記操作部の操作に基づく画面遷移を禁止状態に制御する禁止制御手段とを具備する。
【００２３】
また、請求項１４の発明は、請求項１３の発明において、前記禁止制御手段は、設定情報に基づいて前記操作部の操作に基づく画面遷移を禁止状態に制御する。
【００２４】
また、請求項１５の発明は、請求項１３または１４の発明において、前記情報提供装置は、特定の命令を送信する送信手段を更に具備し、前記禁止制御手段は、前記送信手段から送信された特定の命令に対応して前記表示処理手段により表示された画面の表示履歴を削除することで前記画面遷移を禁止状態に制御する。
【００２５】
また、請求項１６の表示制御プログラムの発明は、コンピュータを、情報提供元に格納された画面情報を取得する取得手段、前記取得手段により取得された画面情報に基づく画面を描画する描画手段、前記描画手段により描画された画面と該画面の遷移を操作する操作部とを含んだ操作画面を表示器に表示処理する表示処理手段、前記表示処理手段により表示された前記操作部の操作に基づく画面遷移を禁止状態に制御する禁止制御手段として機能させる。
【００２６】
また、請求項１７の発明は、請求項１６の発明において、前記禁止制御手段は、設定情報に基づいて前記操作部の操作に基づく画面遷移を禁止状態に制御する。
【００２７】
また、請求項１８の発明は、請求項１６または１７の発明において、前記禁止制御手段は、前記情報提供元から送信された特定の命令に対応して前記表示処理手段により表示された画面の表示履歴を削除することで前記画面遷移を禁止状態に制御する。
【発明の効果】
【００２８】
請求項１の画像処理装置によれば、好ましくない画面遷移を抑制することができる。
【００２９】
また、請求項２の画像処理装置によれば、スクリプト言語に未対応の環境やリソース制限のある環境であっても、操作部からの操作に基づく画面遷移を必要に応じて禁止させることができる。
【００３０】
また、請求項３の画像処理装置によれば、本装置の操作画面表示のため内部に設けられた情報を表示する際に、サーバアクセスしていることをユーザに意識させずに済む。
【００３１】
また、請求項４の画像処理装置によれば、本構成を有さない場合に比較して、情報提供元にアクセスしていることをユーザに意識させずに済む。
【００３２】
また、請求項５の画像処理装置によれば、本構成を有さない場合に比較して、スクリプト言語に未対応の環境やリソース制限のある環境であっても、操作部からの操作に基づく画面遷移を必要に応じて禁止させることができる。
【００３３】
また、請求項６の画像処理装置によれば、ユーザの誤った操作等による前後の表示画面への遷移を防ぐことができる。
【００３４】
また、請求項７の画像処理装置によれば、本装置の操作画面表示のため内部に設けられた情報を表示する際に、設定操作した情報が画面遷移によって欠落する等の不整合を防ぐことができる。
【００３５】
また、請求項８の画像処理装置によれば、予め定められた条件に合致する表示履歴を選択的に削除することができる。
【００３６】
また、請求項９の画像処理装置によれば、誤った操作等による画面遷移を排除することが可能となる。
【００３７】
また、請求項１０の画像処理装置によれば、操作部に設けられた指示手段の操作に基づく画面遷移を禁止させることができる。
【００３８】
また、請求項１１の画像処理装置によれば、装置外部に設けられた情報提供元から表示情報を取得して表示している場合に、必要に応じて不用意な画面遷移を抑制することができる。
【００３９】
また、請求項１２の画像処理装置によれば、装置内部に設けられた情報提供元から表示情報を取得して表示している場合に、必要に応じて不用意な画面遷移を抑制することができる。
【００４０】
また、請求項１３の画像処理システムによれば、好ましくない画面遷移を抑制することができる。
【００４１】
また、請求項１４の画像処理システムによれば、スクリプト言語に未対応の環境やリソース制限のある環境であっても、操作部からの操作に基づく画面遷移を必要に応じて禁止させることができる。
【００４２】
また、請求項１５の画像処理システムによれば、ユーザの誤った操作等による前後の表示画面への遷移を防ぐことができる。
【００４３】
また、請求項１６の表示制御プログラムによれば、好ましくない画面遷移を抑制することができる。
【００４４】
また、請求項１７の表示制御プログラムによれば、スクリプト言語に未対応の環境やリソース制限のある環境であっても、操作部からの操作に基づく画面遷移を必要に応じて禁止させることができる。
【００４５】
また、請求項１８の表示制御プログラムによれば、ユーザの誤った操作等による前後の表示画面への遷移を防ぐことができる。
【発明を実施するための最良の形態】
【００４６】
以下、本発明に係わる画像処理装置および画像処理システムおよび表示制御プログラムの実施例について添付図面を参照して詳細に説明する。
【実施例１】
【００４７】
図１は、本発明に係わる画像処理システムの全体構成の一例を示す図である。
【００４８】
この画像処理システムは、ＬＡＮ（Local Area Network）等で構成されたネットワークやインターネット等を介して複写機１０と、１または複数のＷｅｂサーバ２０とが接続されている。なお、本実施例においては、インターネット上にＷｅｂサーバＡが配され、ネットワーク上にＷｅｂサーバＢが配されている。
【００４９】
複写機１０は、複写元の用紙から情報を読み取り、その読み取り情報に基づき複写先の用紙に画像を形成して印刷を行う機能を果たす。ここで、複写機１０には、Ｗｅｂブラウザ１０ａが搭載されており、複写機１０は、このＷｅｂブラウザ１０ａを用いてＷｅｂサーバ２０に格納された各種Ｗｅｂコンテンツに基づくＷｅｂページの表示を行う。
【００５０】
Ｗｅｂブラウザ１０ａの画面レイアウトは、図２に示すように、Ｗｅｂページ表示領域とメニューバー表示領域とに大きく分けられる。Ｗｅｂページ表示領域は、Ｗｅｂサーバ２０からのＷｅｂコンテンツに基づくＷｅｂページが表示される領域である。また、Ｗｅｂページ表示領域には、Ｗｅｂコンテンツ読み込み時等にプログレスバー、砂時計の表示も行われる。これに対して、メニューバー表示領域は、アドレスの表示やアドレスの入力を受け付ける機能を果たすアドレス領域、表示中のＷｅｂページよりも以前に表示されたＷｅｂページへの遷移を指示する機能を果たす戻るボタン、以前に表示されたＷｅｂページが表示されている場合に、そのＷｅｂページ以降に表示されたＷｅｂページへの遷移を指示する機能を果たす進むボタン等が表示される領域である。なお、アドレス領域からは、以前に表示されたＷｅｂページのアドレスを指定して当該Ｗｅｂページの再表示を指示することもできるため、アドレス領域は、表示履歴に基づきＷｅｂページの表示を指示するといった機能も有することになる。なお、メニューバー表示領域には、上記例示した以外にも、お気に入りボタンや更新ボタン等が配されていてもよいが、ここでは、その説明については省略する。
【００５１】
複写機１０には、メニューバー、砂時計、プログレスバーの表示を禁止状態にするか否かを設定するためのブラウザ設定情報が保持される。ブラウザ設定情報には、図３に示すように、宛先名称に対応して、その宛先を示すＵＲＬ（Uniform Resource Locator）やＩＰ（Internet Protocol）アドレス等の宛先情報と、メニューバー、砂時計、プログレスバーの表示を禁止状態にするか否かを示すメニュー表示情報とが保持される。例えば、この場合、ＷｅｂサーバＡへのアクセス時には、メニュー表示にオンが設定されているため、Ｗｅｂブラウザ画面にはメニューバーが表示され、また、Ｗｅｂコンテンツの読み込み時にはその進捗状況を示すプログレスバー、砂時計が表示されることになるが、ＷｅｂサーバＢへのアクセス時には、メニュー表示にオフが設定されているため、Ｗｅｂブラウザ画面にはメニューバーが表示されず、また、Ｗｅｂコンテンツの読み込み時にプログレスバー、砂時計は表示されない。
【００５２】
Ｗｅｂサーバ２０は、ＨＴＭＬ文書や画像などのＷｅｂコンテンツを格納してそれを所定の要求に応じて提供する機能を果たす。すなわち、複写機１０に備わるＷｅｂブラウザ１０ａからの所定の要求に応じて各種Ｗｅｂコンテンツを複写機１０に提供する。なお、Ｗｅｂサーバは、複写機１０内部にも設けられており、この内部に設けられたＷｅｂサーバ（後述する内部サーバ）には、複写機自身の設定等を行うための各種画面がＷｅｂコンテンツとして格納されている。
【００５３】
ここで、図４を用いて、複写機１０のハード構成の一例について説明する。
【００５４】
複写機１０は、操作パネル１１と、コントローラ部１２と、スキャナ部１３と、プリンタ部１４とに大きく分けられる。
【００５５】
操作パネル１１は、タッチパネル、ハードボタンなどの入力用デバイスとしての機能を果たす入力部１１ａと、ＬＥＤ（Light Emitting Diode）、ＬＣＤ（Liquid Crystal Display）などの表示用デバイスとしての機能を果たす表示部１１ｂとを具備して構成され、ユーザと複写機１０とを繋ぐユーザインターフェースとしての機能を果たす。
【００５６】
コントローラ部１２は、ＲＡＭ（Random Access Memory）３３、ＲＯＭ（Read Only Memory）３７、ＣＰＵ（Central Processing Unit）３２の他、ネットワークＩ／Ｆ（Interface）３４、パネルＩ／Ｆ（Interface）３１、入力部Ｉ／Ｆ（Interface）３５、出力部Ｉ／Ｆ（Interface）３６を具備して構成され、ＲＯＭ３７に格納されたプログラムに基づき複写機１０における処理を統括制御する。ＲＯＭ３７には、Ｗｅｂブラウザ１０ａのプログラムも格納される。また、ネットワークＩ／Ｆ３４は、ネットワークとの通信を制御する機能を果たし、パネルＩ／Ｆ３１は操作パネル１１、入力部Ｉ／Ｆ３５はスキャナ部１３、出力部Ｉ／Ｆ３６はプリンタ部１４との通信を制御する機能を果たす。
【００５７】
スキャナ部１３は、照明ランプ、レンズ、ＣＣＤ（Charge Coupled Device）等から構成され、プラテンガラス上に置かれた用紙を光学的に走査して、用紙から情報を読み取る機能を果たす。
【００５８】
プリンタ部１４は、感光ドラム、転写ベルト、定着器等から構成され、用紙等の記録媒体上に画像を形成する機能を果たす。なお、本実施例においては、プリンタ部１４が電子写真方式で構成される場合を例に挙げて説明するが、これに限られず、他の方式（例えば、インクジェット方式）を採用してもよい。以上が、複写機１０のハード的な構成についての説明である。
【００５９】
次に、図５を用いて、上記図４で説明したコントローラ部１２に実現される機能的な構成の一部について説明する。
【００６０】
コントローラ部１２は、各種処理機能部として、内部サーバ６１と、Ｗｅｂブラウザ機能部６２とを具備して構成される。なお、Ｗｅｂブラウザ機能部６２は、Ｗｅｂブラウザ１０ａのプログラムが実行されることで実現される。
【００６１】
内部サーバ６１は、複写機自身の設定等を行うための画面をＷｅｂコンテンツとして格納し、それを所定の要求に応じて提供する機能を果たす。内部サーバ６１は、上記説明したＷｅｂサーバ２０と同等の機能を果たす。その違いとしては、格納されたＷｅｂコンテンツが異なることと、複写機１０の内部にあるか外部にあるか等である。
【００６２】
続いて、Ｗｅｂブラウザ機能部６２は、各種処理機能部として、設定情報登録部４１と、設定情報保持部４２と、Ｗｅｂコンテンツ取得部４３と、Ｗｅｂページ描画処理部４４と、表示処理部４５と、操作指示受付部４６と、履歴保持部４７と、画面遷移禁止要否判定部４８と、画面遷移禁止制御部４９と、Ｗｅｂブラウザ制御部５０とを具備して構成される。
【００６３】
設定情報登録部４１は、各種設定情報を登録する機能を果たす。設定情報登録部４１による設定情報の登録は、メニューバーを介した入力部１１ａからの指示、ネットワークを介したパーソナルコンピュータからの指示等に基づき行われる。
【００６４】
設定情報保持部４２は、設定情報登録部４１により登録された設定情報を保持する機能を果たす。例えば、上記図３で説明したブラウザ設定情報は、この設定情報保持部４２において設定情報の一つとして保持されている。
【００６５】
Ｗｅｂコンテンツ取得部４３は、Ｗｅｂサーバ２０あるいは内部サーバ６１からＷｅｂコンテンツを取得する機能を果たす。Ｗｅｂコンテンツ取得部４３によるＷｅｂコンテンツの取得は、ｈｔｔｐリクエスト（以下、単にリクエストと言うこともある）の送信に基づきｈｔｔｐレスポンス（以下、単にレスポンスと言うこともある）を受信することで行われる。
【００６６】
Ｗｅｂページ描画処理部４４は、Ｗｅｂコンテンツ取得部４３により取得されたＷｅｂコンテンツに基づきＷｅｂページを描画する機能を果たす。すなわち、ＨＴＭＬ文書等を解析し、その解析結果に基づき描画処理を行う。
【００６７】
表示処理部４５は、Ｗｅｂページ描画処理部４４により描画されたＷｅｂページと、メニューバーとを含んだ操作画面を表示部１１ｂに表示する機能を果たす。すなわち、上記図２で説明したＷｅｂブラウザ画面を表示部１１ｂに表示する。先に述べた通り、Ｗｅｂページの表示は、上記図２で説明したＷｅｂページ表示領域に行われ、メニューバーの表示は、上記図２で説明したメニューバー表示領域に行われる。
【００６８】
操作指示受付部４６は、表示処理部４５により表示されたメニューバーからの操作指示を受け付ける機能を果たす。例えば、メニューバー上の戻るボタンが押下された場合には、その押下と対応した指示を受け付け、それを表示処理部４５に伝えることになる。
【００６９】
履歴保持部４７は、表示処理部４５による表示履歴を保持する機能を果たす。すなわち、履歴保持部４７には、以前に表示されたＷｅｂページの宛先がリスト等により保持される。履歴保持部４７に表示履歴が保持されることで以前に表示されたＷｅｂページの再表示が可能となる。
【００７０】
画面遷移禁止要否判定部４８は、メニューバーからの操作に基づくＷｅｂページの画面遷移を禁止状態にするか否かの判定を行う機能を果たす。すなわち、メニューバー上の戻るボタン、進むボタン、アドレス領域等からの操作に基づく画面遷移を禁止するか否かの判定を行う。画面遷移禁止要否判定部４８による判定は、上記図３で説明したブラウザ設定情報に基づき行われる。なお、本実施例においては、メニューバーからの操作に基づく画面遷移を禁止状態にするか否かの判定を行う場合について説明するが、これとは逆にメニューバーからの操作に基づく画面遷移を許可するか否かの判定を行うようにしてもよい。
【００７１】
画面遷移禁止制御部４９は、画面遷移禁止要否判定部４８の判定結果に基づきメニューバーからの操作に基づく画面遷移を禁止状態に制御する機能を果たし、表示処理部４５によるメニューバーの表示を非表示に制御する非表示制御部４９ａと、操作指示受付部４６から受け付けるメニューバーからの操作を無効に制御する無効制御部４９ｂとを具備して構成される。なお、本実施例における画面遷移禁止制御部４９では、非表示処理部４９ａにおいてメニューバーの表示を非表示にすることで、メニューバーからの操作に基づく画面遷移を禁止状態に制御する場合について説明する。
【００７２】
Ｗｅｂブラウザ制御部５０は、Ｗｅｂブラウザ機能部６２における処理を統括制御する機能を果たす。すなわち、Ｗｅｂブラウザ機能部６２上に構成される各種処理機能は、このＷｅｂブラウザ制御部５０からの指示に従って動作する。また、Ｗｅｂブラウザ制御部５０では、各処理機能間で発生するデータの入出力も制御する。以上が、コントローラ部１２を構成する各種処理機能についての説明である。
【００７３】
次に、図６を用いて、図１に示す画像処理システムの動作について説明する。ここでは、複写機１０上のＷｅｂブラウザ１０ａを用いてＷｅｂサーバＢにアクセスする際の動作の流れについて説明する。なお、ＷｅｂサーバＡ、内部サーバ６１にアクセスする際もこの図６で説明する動作と同様となる。
【００７４】
この処理ではまず、ユーザによりアクセス先が指定されることになる。アクセス先の指定は、アクセス先のアドレスを直接入力する方法、予め登録されたアクセス先リストから選択する方法等により行われる。
【００７５】
ここで、アクセス先の指定が行われ（ステップＳ１０１）、当該アクセス先へのアクセス開始が指示されると（ステップＳ１０２）、この指示を受け付けたＷｅｂブラウザ機能部６２は、当該アクセス先へのアクセスに先立ってまず、画面遷移禁止要否判定部４８において、メニューバーからの操作に基づく画面遷移を禁止にするか否かの判定を行う。この判定は、設定情報保持部４２に保持されたブラウザ設定情報に基づき行われる（ステップＳ１０３）。
【００７６】
判定の結果、メニューバーからの操作に基づく画面遷移を禁止しない場合には（ステップＳ１０４でＮＯ）、Ｗｅｂブラウザ機能部６２は、表示処理部４５において、通常のメニューバー構成を有するＷｅｂブラウザ画面を表示部１１ｂに表示させるとともに（ステップＳ１０５）、Ｗｅｂコンテンツ取得部４３において、アクセス先のＷｅｂサーバＢからＷｅｂコンテンツの取得を行う。すなわち、ＷｅｂサーバＢにリクエストを送信し（ステップＳ１０６）、当該リクエストに対するＷｅｂサーバＢからのレスポンスを受信する。
【００７７】
リクエストに対するレスポンスが送られてくると、Ｗｅｂブラウザ機能部６２は、Ｗｅｂコンテンツ取得部４３において、当該レスポンスの受信を行うとともに、表示処理部４５において、その進捗状況を示すプログレスバー、砂時計を表示する（ステップＳ１０７）。そして、Ｗｅｂページ描画処理部４４において、当該レスポンスに基づくＷｅｂページの描画を行うとともに、表示処理部４５において、その描画されたＷｅｂページをＷｅｂブラウザ画面のＷｅｂページ表示領域に表示する（ステップＳ１０８）。なお、ステップＳ１０５からステップＳ１０８までのＷｅｂブラウザ画面の表示態様は、図７に示す流れとなる。
【００７８】
また、ステップＳ１０３の判定の結果、メニューバーからの操作に基づく画面遷移を禁止する場合には（ステップＳ１０４でＹＥＳ）、Ｗｅｂブラウザ機能部６２は、表示処理部４５において、メニューバーを非表示にしたＷｅｂブラウザ画面を表示部１１ｂに表示させるとともに（ステップＳ１０９）、Ｗｅｂコンテンツ取得部４３において、アクセス先のＷｅｂサーバＢからＷｅｂコンテンツの取得を行う。すなわち、ＷｅｂサーバＢにリクエストを送信し（ステップＳ１１０）、当該リクエストに対するＷｅｂサーバＢからのレスポンスを受信する。
【００７９】
リクエストに対するレスポンスが送られてくると、Ｗｅｂブラウザ機能部６２は、Ｗｅｂコンテンツ取得部４３において、当該レスポンスの受信を行う（ステップＳ１１１）。このとき、レスポンスの進捗状況を示すプログレスバー、砂時計は表示されない。そして、Ｗｅｂページ描画処理部４４において、当該レスポンスに基づくＷｅｂページの描画を行うとともに、表示処理部４５において、その描画されたＷｅｂページをＷｅｂブラウザ画面のＷｅｂページ表示領域に表示する（ステップＳ１１２）。なお、ステップＳ１０９からステップＳ１１２までのＷｅｂブラウザ画面の表示態様は、図８に示す流れとなる。この場合、メニューバー、プログレスバー、砂時計の表示が行われないので、複写機１０外部にアクセスしていることをユーザに意識させずに済み、デバイスＵＩを操作しているかの錯覚をユーザに与えられる。
【００８０】
また、Ｗｅｂサーバが内部に設けられている場合、つまり例えば、内部サーバ６１に格納された複写機自身の処理条件等の設定を行うためのＷｅｂコンテンツを表示し、その表示内容に基づいた操作設定を行うケースでは、Ｗｅｂブラウザを操作していることをユーザに認識させる必要がなく、むしろ通常のデバイスＵＩを操作しているように感じながら設定操作を行わさせたほうが、ユーザに不要な混乱を与えなくて済む。そのためにも、このような内部サーバに格納された処理条件入力等の操作画面を表示しているケースでは、メニューバーやプログレスバー、砂時計といった表示を行わないほうが好ましい。
【００８１】
さらに、このような内部サーバ６１に格納された装置の設定操作を行うための画面を表示している場合に、処理条件の設定操作を行っている状態で、不用意に以前に表示された設定画面に戻るような画面遷移を許容してしまうと、それまでの設定内容と、以前に表示された設定画面での設定内容とに不整合が生じたり、設定の有効性が不明確になったりして、複写機が予期していなかった処理が実行され、誤動作を生じる可能性が考えられる。このような観点からも、内部サーバに格納されたコンテンツ、特に装置の設定をするような操作画面の表示を行っている場合には、画面遷移を禁止するような制御が有効となる。
【００８２】
以上が、実施例１についての説明である。なお、実施例１においては、メニュー表示がオフである場合には、メニューバーの表示を非表示にする他、プログレスバー、砂時計の表示も非表示にしていたが、これに限られず、メニュー表示がオフである場合にはメニューバーだけを非表示にするようにしてもよい。
【００８３】
また、実施例１において説明したプログレスバー、砂時計は、複写機１０外部にアクセスしていることをユーザに意識させてしまう表示の一例であり、これ以外の表示であっても外部アクセスをユーザに意識させてしまうような表示は、プログレスバー、砂時計と同じく非表示の対象となる。例えば、ネットワークアクセス中であることを示す表示は、プログレスバー、砂時計と同じく非表示の対象となる。
【００８４】
また、実施例１においては、非表示処理部４９ａにおいてメニューバーの表示を非表示に制御することで、メニューバーからの操作に基づく画面遷移を禁止する場合について説明したが、勿論、無効制御部４９ｂにおいてメニューバーからの操作を無効に制御することでメニューバーからの操作に基づく画面遷移を禁止するようにしてもよい。
【実施例２】
【００８５】
次に、実施例２について説明する。実施例２においては、Ｗｅｂブラウザ画面上のメニューバーの一部の機能（ボタン、表示領域等）を非表示にする場合の動作について説明する。ここでは、メニューバーの一部の機能を非表示にする場合の一例として、戻るボタン、進むボタンのみを非表示にしてメニューバーからの操作に基づく画面遷移を禁止する場合の動作について説明する。なお、実施例２における全体構成、複写機１０の構成は、上記実施例１を説明した図１、図４および図５と略同様であるためその説明は省略する。
【００８６】
ここで、図９を用いて、実施例２に係わる画像処理システムの動作について説明する。ここでは、複写機１０上のＷｅｂブラウザ１０ａを用いてＷｅｂサーバＢにアクセスする際の動作の流れについて説明する。なお、ＷｅｂサーバＡ、内部サーバ６１にアクセスする際もこの図９で説明する動作と同様となる。
【００８７】
この処理ではまず、ユーザによりアクセス先が指定されることになる。アクセス先の指定は、アクセス先のアドレスを直接入力する方法、予め登録されたアクセス先リストから選択する方法等により行われる。
【００８８】
ここで、アクセス先の指定が行われ（ステップＳ２０１）、当該アクセス先へのアクセス開始が指示されると（ステップＳ２０２）、この指示を受け付けたＷｅｂブラウザ機能部６２は、当該アクセス先へのアクセスに先立ってまず、画面遷移禁止要否判定部４８において、メニューバーからの操作に基づく画面遷移を禁止にするか否かの判定を行う。この判定は、設定情報保持部４２に保持されたブラウザ設定情報に基づき行われる（ステップＳ２０３）。
【００８９】
判定の結果、メニューバーからの操作に基づく画面遷移を禁止しない場合には（ステップＳ２０４でＮＯ）、Ｗｅｂブラウザ機能部６２は、表示処理部４５において、通常のメニューバー構成を有するＷｅｂブラウザ画面を表示部１１ｂに表示させるとともに（ステップＳ２０５）、Ｗｅｂコンテンツ取得部４３において、アクセス先のＷｅｂサーバＢからＷｅｂコンテンツの取得を行う。すなわち、ＷｅｂサーバＢにリクエストを送信し（ステップＳ２０６）、当該リクエストに対するＷｅｂサーバＢからのレスポンスを受信する。
【００９０】
リクエストに対するレスポンスが送られてくると、Ｗｅｂブラウザ機能部６２は、Ｗｅｂコンテンツ取得部４３において、当該レスポンスの受信を行う（ステップＳ２０７）。そして、Ｗｅｂページ描画処理部４４において、当該レスポンスに基づくＷｅｂページの描画を行い、表示処理部４５において、その描画されたＷｅｂページをＷｅｂブラウザ画面のＷｅｂページ表示領域に表示する（ステップＳ２０８）。
【００９１】
また、ステップＳ２０３の判定の結果、メニューバーからの操作に基づく画面遷移を禁止する場合には（ステップＳ２０４でＹＥＳ）、Ｗｅｂブラウザ機能部６２は、表示処理部４５において、戻るボタン、進むボタンを非表示にしたＷｅｂブラウザ画面を表示部１１ｂに表示させるとともに（ステップＳ２０９）、Ｗｅｂコンテンツ取得部４３において、アクセス先のＷｅｂサーバＢからＷｅｂコンテンツの取得を行う。すなわち、ＷｅｂサーバＢにリクエストを送信し（ステップＳ２１０）、当該リクエストに対するＷｅｂサーバＢからのレスポンスを受信する。
【００９２】
リクエストに対するレスポンスが送られてくると、Ｗｅｂブラウザ機能部６２は、Ｗｅｂコンテンツ取得部４３において、当該レスポンスの受信を行う（ステップＳ２１１）。そして、Ｗｅｂページ描画処理部４４において、当該レスポンスに基づくＷｅｂページの描画を行い、表示処理部４５において、その描画されたＷｅｂページをＷｅｂブラウザ画面のＷｅｂページ表示領域に表示する（ステップＳ２１２）。
【００９３】
以上が、実施例２についての説明である。なお、図９の説明では、ＷｅｂサーバＢから送られてくるレスポンス受信の進捗状況の表示については特に言及していないが、ここでは、進捗状況を表示するか否かは特に問わず、どちらであってもよい。
【００９４】
また、図９の説明では、Ｗｅｂブラウザ画面上のメニューバーの一部の機能（ボタン、表示領域等）を非表示に制御することでメニューバーからの操作に基づく画面遷移を禁止する場合について説明したが、メニューバーからの操作の一部を無効に制御することでメニューバーからの操作に基づく画面遷移を禁止するようにしてもよい。例えば、戻るボタン、進むボタンの押下を無効にするようにすれば、上記同等の処理が行えることになる。
【実施例３】
【００９５】
次に、実施例３について説明する。実施例３においては、表示履歴を削除することでメニューバーからの操作に基づく画面遷移を禁止する場合の動作について説明する。なお、実施例３における複写機１０のハード構成は、上記実施例１を説明した図４と略同様であるためその説明は省略する。
【００９６】
まず、図１０を用いて、実施例３に係わる画像処理システムの全体構成の一例について説明する。なお、ここでは、図１との相違点についてのみ説明する。
【００９７】
この画像処理システムは、複写機１０と、１または複数のＷｅｂサーバ２０とを具備して構成される。ここで、Ｗｅｂサーバ２０には、Ｗｅｂブラウザ１０ａに対して表示履歴の削除命令を送信する履歴削除命令送信部２１が設けられる。この削除命令は、Ｗｅｂブラウザ１０ａに返すレスポンス内に特定の命令を入れることで行われる。具体的には、図１１に示すように、レスポンスヘッダに表示履歴の削除を指示する命令文を書き込む。
【００９８】
次に、図１２を用いて、コントローラ部１２に実現される機能的な構成の一部について説明する。
【００９９】
コントローラ部１２は、各種処理機能部として、内部サーバ６１と、Ｗｅｂブラウザ機能部６２とを具備して構成される。なお、内部サーバ６１は、上記実施例１と同様の機能を果たすためその説明は省略する。
【０１００】
Ｗｅｂブラウザ機能部６２は、各種処理機能部として、設定情報登録部４１と、設定情報保持部４２と、Ｗｅｂコンテンツ取得部４３と、Ｗｅｂページ描画処理部４４と、表示処理部４５と、操作指示受付部４６と、履歴保持部４７と、画面遷移禁止制御部４９と、Ｗｅｂブラウザ制御部５０とを具備して構成される。なお、画面遷移禁止制御部４９以外の処理機能は、上記実施例１と同様の機能を果たすためその説明は省略する。
【０１０１】
画面遷移禁止制御部４９は、メニューバーからの操作に基づく画面遷移を禁止状態に制御する機能を果たし、履歴保持部４７に保持された表示履歴を削除する機能を果たす履歴削除処理部４９ｃを具備して構成される。履歴削除処理部４９において、表示履歴が削除されることでメニューバー上の戻るボタン、進むボタン、アドレス領域による表示履歴に基づくＷｅｂページの表示が機能しなくなるため、結果的にメニューバーからの操作に基づく画面遷移を禁止できることになる。なお、履歴削除処理部４９ｃによる表示履歴の削除は、上記図１１で説明した命令文の検出に対応して行われる。以上が、コントローラ部１２を構成する各種処理機能についての説明である。
【０１０２】
ここで、図１３を用いて、実施例３に係わる画像処理システムの動作について説明する。ここでは、複写機１０上のＷｅｂブラウザ１０ａを用いてＷｅｂサーバＢにアクセスする際の動作の流れについて説明する。なお、ＷｅｂサーバＡ、内部サーバ６１にアクセスする際もこの図１３で説明する動作と同様となる。
【０１０３】
この処理が開始されると、Ｗｅｂブラウザ機能部６２は、Ｗｅｂコンテンツ取得部４３において、アクセス先のＷｅｂサーバＢからＷｅｂコンテンツの取得を行う。すなわち、ＷｅｂサーバＢにリクエストを送信し（ステップＳ３０１）、当該リクエストに対するＷｅｂサーバＢからのレスポンスを受信する（ステップＳ３０２）。
【０１０４】
ここで、この受信したレスポンス内に特定の命令文が含まれていなかった場合には（ステップＳ３０３でＮＯ）、Ｗｅｂブラウザ機能部６２は、Ｗｅｂページ描画処理部４４において、当該レスポンスに基づくＷｅｂページの描画を行うとともに、表示処理部４５において、その描画されたＷｅｂページをＷｅｂブラウザ画面のＷｅｂページ表示領域に表示する（ステップＳ３０４）。そして、履歴保持部４７に履歴を保持した後（ステップＳ３０５）、この処理は終了する。
【０１０５】
また、ステップＳ３０２において受信したレスポンス内に特定の命令文が含まれていた場合には（ステップＳ３０３でＹＥＳ）、Ｗｅｂブラウザ機能部６２は、履歴削除処理部４９ｃにおいて、履歴保持部４７に保持された履歴の削除を行う（ステップＳ３０６）。なお、履歴の削除方法の詳細については後述する。
【０１０６】
履歴の削除が済むとＷｅｂブラウザ機能部６２は、Ｗｅｂページ描画処理部４４において、受信したレスポンスに基づくＷｅｂページの描画を行うとともに、表示処理部４５において、その描画されたＷｅｂページをＷｅｂブラウザ画面のＷｅｂページ表示領域に表示する（ステップＳ３０７）。その後、この処理は終了する。なお、Ｗｅｂページ内のリンクにより画面遷移が指示された場合には、上記ステップＳ３０１の処理に戻って後続の処理を行うことになる。
【０１０７】
ここで、ステップＳ３０６における履歴の削除は、１）格納された全ての表示履歴を削除する（図１４（ａ）参照）、２）所定の条件に合致する表示履歴を選択的に削除する
（図１４（ｂ）参照）、等の方法により行われる。２）の場合、例えば、アクセス中のＷｅｂページと関連のある表示履歴だけを削除する等の削除例が挙げられる。この場合、アクセス中のＷｅｂページのアドレスと全部あるいはその一部と一致する表示履歴を削除するようにすれば、アクセス中のＷｅｂページと関連のある表示履歴だけを削除できることになる。
【０１０８】
以上が、実施例３についての説明である。なお、実施例３においては、レスポンス内に特定の命令文が含まれていた場合に、表示履歴を削除し戻るボタン、進むボタン、アドレス領域による画面遷移を禁止にする場合について説明したが、特定のレスポンスを受けた場合に表示履歴を削除するのではなく、戻るボタン、進むボタン等を非表示にしたり、戻るボタン、進むボタン等からの操作を無効にしたりすることで戻るボタン、進むボタンによる画面遷移を禁止するようにしてもよい。
【０１０９】
また、実施例３においては、履歴の削除タイミング、すなわち、履歴削除命令の送信タイミングについては特に言及していないが、これはＷｅｂサーバ２０、内部サーバ６１側の設定により適宜調整できる。例えば、Ｗｅｂページにアクセスされる都度、削除命令を送信するようにしてもよいし、特定のＷｅｂページにアクセスされた場合にだけ削除命令を送信するようにしてもよい。また、ログイン等を伴うＷｅｂページの表示に際しては、ログインページ、ログアウトページが表示されたタイミングで削除命令を送信するなどの運用も考えられる。
【０１１０】
以上が本発明の代表的な実施形態の一例であるが、本発明は、上記および図面に示す実施例に限定することなく、その要旨を変更しない範囲内で適宜変形して実施できるものである。
【０１１１】
例えば、実施例１から３を用いて、本発明に係わる画像処理システムについて説明したが、この実施例１および実施例２における処理と、実施例３における処理の全てあるいはその一部を組み合わせて実施してもよい。
【０１１２】
また、上記実施例１から３において説明した複写機１０の代わりに、スキャナ部、プリンタ部、ファックス部等の機能を備えた装置（複合機などと称される）や、プリンタ、ファックス等を用いて上記説明した処理を実施するようにしてもよい。
【０１１３】
また、上記実施例１から３においては、Ｗｅｂブラウザ１０ａを用いてＷｅｂサーバ２０と通信を行う場合を例に挙げて説明したが、この通信に際して必ずしもＷｅｂブラウザ１０ａを用いる必要はなく、ｈｔｔｐリクエストを利用するものであれば代用できる。
【０１１４】
また、上記実施例１から３において説明した複写機１０における処理を、コンピュータにインストールされたプログラムによりそれぞれ実施するように構成してもよい。なお、このプログラムは、ネットワーク等の通信手段により提供することは勿論、ＣＤ−ＲＯＭ等の記録媒体に格納して提供することも可能である。
【産業上の利用可能性】
【０１１５】
本発明の画像処理装置および画像処理システムおよび表示制御プログラムは、画像処理装置、画像処理装置を配して構成した画像処理システム、各種処理をコンピュータに実行させる表示制御プログラム全般に適用可能である。
【図面の簡単な説明】
【０１１６】
【図１】本発明に係わる画像処理システムの全体構成の一例を示す図である。
【図２】Ｗｅｂブラウザ画面の画面レイアウトの一例を示す図である。
【図３】ブラウザ設定情報の一例を示す図である。
【図４】図１に示す複写機１０のハード構成の一例を示す図である。
【図５】図４に示すコントローラ部１２に実現される機能的な構成の一部を示す図である。
【図６】図１に示す画像処理システムの動作を示すフローチャートである。
【図７】Ｗｅｂブラウザ画面の表示態様の流れの一例を示す第１の図である。
【図８】Ｗｅｂブラウザ画面の表示態様の流れの一例を示す第２の図である。
【図９】実施例２に係わる画像処理システムの動作を示すフローチャートである。
【図１０】実施例３に係わる画像処理システムの全体構成の一例を示す図である。
【図１１】レスポンスの一例を示す図である。
【図１２】実施例３に係わるコントローラ部１２に実現される機能的な構成の一部を示す図である。
【図１３】実施例３に係わる画像処理システムの動作を示すフローチャートである。
【図１４】表示履歴の削除方法の一例を示す図である。
【符号の説明】
【０１１７】
１０    複写機
１０ａ    Ｗｅｂブラウザ
１１    操作パネル
１１ａ    入力部
１１ｂ    表示部
１２    コントローラ部
１３  スキャナ部
１４    プリンタ部
２０    Ｗｅｂサーバ
２１    履歴削除命令送信部
３１    パネルＩ／Ｆ
３２    ＣＰＵ
３３    ＲＡＭ
３４    ネットワークＩ／Ｆ
３５    入力部Ｉ／Ｆ
３６    出力部Ｉ／Ｆ
３７    ＲＯＭ
４１    設定情報登録部
４２    設定情報保持部
４３    Ｗｅｂコンテンツ取得部
４４    Ｗｅｂページ描画処理部
４５    表示処理部
４６    操作指示受付部
４７    履歴保持部
４８    画面遷移禁止要否判定部
４９    画面遷移禁止制御部
４９ａ    非表示制御部
４９ｂ    無効制御部
４９ｃ    履歴削除処理部
５０    Ｗｅｂブラウザ制御部
６１    内部サーバ
６２    Ｗｅｂブラウザ機能部
【図１】
2008186065.tif 000003
【図２】
2008186065.tif 000004
【図３】
2008186065.tif 000005
【図４】
2008186065.tif 000006
【図５】
2008186065.tif 000007
【図６】
2008186065.tif 000008
【図７】
2008186065.tif 000009
【図８】
2008186065.tif 000010
【図９】
2008186065.tif 000011
【図１０】
2008186065.tif 000012
【図１１】
2008186065.tif 000013
【図１２】
2008186065.tif 000014
【図１３】
2008186065.tif 000015
【図１４】
2008186065.tif 000016